(57)【要約】【課題】輸液チューブ内へ血液が逆流侵入しない留置輸液器具を提供する。【解決手段】雌コネクター付き留置針と、雄コネクター付き輸液チューブとからなる留置輸液キットであって、  雌コネクター付き留置針は、外針ハブの前部に外針を取り付け、外針ハブの中央部に柔軟部を設け、外針ハブの後部が雌コネクターであり、外針ハブの中央部の内部に逆止弁を取り付けてあり、雄コネクター付き輸液チューブは、前部にノズルを取り付けた雄コネクターを輸液チューブの一端に取り付けてあり、通常においては、外針ハブの後部から前部への正方向の流動ができるが、逆方向の流動が阻止され、柔軟部分を外から押圧している時には逆止弁が開状態となり正方向も逆方向も流動できるようになり、雄コネクター付き輸液チューブの雄コネクターを雌コネクター付き留置針の雌コネクターに挿入し液密に嵌合させている時には雄コネクターのノズルが雌コネクター付き留置針の内部の逆止弁に挿入され逆止弁が開状態となり正方向も逆方向も流動できるようになる、留置輸液キットである。【選択図】図１
2005027991.tif 000002
【特許請求の範囲】
【請求項１】
雌コネクター付き留置針と、雄コネクター付き輸液チューブとからなる留置輸液キットであって、
雌コネクター付き留置針は、外針ハブの前部に外針を取り付け、外針ハブの中央部に柔軟部を設け、外針ハブの後部が雌コネクターであり、外針ハブの中央部の内部に逆止弁を取り付けてあり、
雄コネクター付き輸液チューブは、前部にノズルを取り付けた雄コネクターを輸液チューブの一端に取り付けてあり、
通常においては、外針ハブの後部から前部への正方向の流動ができるが、逆方向の流動が阻止され、柔軟部分を外から押圧している時には逆止弁が開状態となり正方向も逆方向も流動できるようになり、雄コネクター付き輸液チューブの雄コネクターを雌コネクター付き留置針の雌コネクターに挿入し液密に嵌合させている時には雄コネクターのノズルが雌コネクター付き留置針の内部の逆止弁に挿入され逆止弁が開状態となり正方向も逆方向も流動できるようになる、
留置輸液キット。
【請求項２】
雌コネクター付き留置針と、雄コネクター付き輸液チューブとからなる留置輸液キットであって、
雌コネクター付き留置針は、外針ハブの前部に外針を取り付け、外針ハブの中央部に柔軟部を設け、外針ハブの後部が雌コネクターであり、外針ハブの中央部の内部に逆止弁を取り付けてあり、
雄コネクター付き輸液チューブは、前部にノズルを取り付け、内部に逆止弁を取り付けた雄コネクターを輸液チューブの一端に取り付けてあり、
通常においては、外針ハブの後部から前部への正方向の流動ができるが、逆方向の流動が阻止され、柔軟部分を外から押圧している時には逆止弁が開状態となり正方向も逆方向も流動できるようになり、雄コネクター付き輸液チューブの雄コネクターを雌コネクター付き留置針の雌コネクターに挿入し液密に嵌合させている時には雄コネクターのノズルが雌コネクター付き留置針の内部の逆止弁に挿入され逆止弁が開状態となり正方向も逆方向も流動できるようになる、
留置輸液キット。
【請求項３】
雌コネクター付き留置針と雄コネクター付き輸液チューブとの接合・分離が可能な接合具を備えている請求項１または２に記載の留置輸液キット。
【請求項４】
逆止弁を開状態に保つことができる押圧具を備えている請求項１から３までのいずれか１つに記載の留置輸液キット。
【請求項５】
留置針の外針ハブの中央部まで挿入可能なノズルを前部に取り付け、輸液チューブの一端を後部に取り付けた雄コネクターを有することを特徴とする雄コネクター付き輸液チューブ。
【請求項６】
留置針の外針ハブの中央部まで挿入可能なノズルを前部に取り付け、逆止弁を内部に取り付け、輸液チューブの一端を後部に取り付けた雄コネクターを有することを特徴とする雄コネクター付き輸液チューブ。
【請求項７】
留置針の外針ハブの中央部まで挿入可能なノズルを前部に取り付け、輸液チューブの一端を接続可能な雌コネクターを後部に備えた留置輸液用プラグ。
【請求項８】
留置針の外針ハブの中央部まで挿入可能なノズルを前部に取り付け、逆止弁を内部に取り付け、輸液チューブの一端を接続可能な雌コネクターを後部に備えた留置輸液用プラグ。
【請求項９】
留置針の外針ハブの中央部まで挿入可能なノズルを前部に取り付け、輸液チューブの一端を接続可能な雌コネクターを後部に備えた留置輸液用三方活栓。
【請求項１０】
留置針の外針ハブの中央部まで挿入可能なノズルを前部に取り付け、逆止弁を内部に取り付け、輸液チューブの一端を接続可能な雌コネクターを後部に備えた留置輸液用側枝管。
【請求項１１】
雌コネクター付き留置針と、雄コネクター付き輸液チューブとからなる留置輸液キットであって、
雌コネクター付き留置針は、外針ハブの前部に外針を取り付け、外針ハブの中央部に柔軟部を設け、外針ハブの後部が雌コネクターであり、外針ハブの中央部の内部に閉止弁を取り付けてあり、
雄コネクター付き輸液チューブは、前部にノズルを取り付けた雄コネクターを輸液チューブの一端に取り付けてあり、
注射針を貫通し切り裂く前は流動が阻止されるが、切り裂いた後について、通常においては、外針ハブの後部から前部への正方向の流動ができるが、逆方向の流動が阻止され、柔軟部分を外から押圧している時には閉止弁が開状態となり正方向も逆方向も流動できるようになり、雄コネクター付き輸液チューブの雄コネクターを雌コネクター付き留置針の雌コネクターに挿入し液密に嵌合させている時には雄コネクターのノズルが雌コネクター付き留置針の内部の閉止弁に挿入され閉止弁が開状態となり正方向も逆方向も流動できるようになる、
留置輸液キット。
【請求項１２】
雌コネクター付き留置針と、雄コネクター付き輸液チューブとからなる留置輸液キットであって、
雌コネクター付き留置針は、外針ハブの前部に外針を取り付け、外針ハブの中央部に柔軟部を設け、外針ハブの後部が雌コネクターであり、外針ハブの中央部の内部に閉止弁を取り付けてあり、
雄コネクター付き輸液チューブは、前部にノズルを取り付け、内部に逆止弁を取り付けた雄コネクターを輸液チューブの一端に取り付けてあり、
注射針を貫通し切り裂く前は流動が阻止されるが、切り裂いた後について、通常においては、外針ハブの後部から前部への正方向の流動ができるが、逆方向の流動が阻止され、柔軟部分を外から押圧している時には閉止弁が開状態となり正方向も逆方向も流動できるようになり、雄コネクター付き輸液チューブの雄コネクターを雌コネクター付き留置針の雌コネクターに挿入し液密に嵌合させている時には雄コネクターのノズルが雌コネクター付き留置針の内部の閉止弁に挿入され閉止弁が開状態となり正方向も逆方向も流動できるようになる、
留置輸液キット。
【請求項１３】
雌コネクター付き留置針と雄コネクター付き輸液チューブとの接合・分離が可能な接合具を備えている請求項１１または１２に記載の留置輸液キット。
【請求項１４】
閉止弁を開状態に保つことができる押圧具を備えている請求項１１から１３までのいずれか１つに記載の留置輸液キット。
【発明の詳細な説明】
【技術分野】
【０００１】
本発明は留置輸液器具に関し、詳しくは雌コネクター付き留置針と雄コネクター付き輸液チューブとからなる留置輸液キットや雄コネクター付き輸液チューブや留置輸液用プラグや留置輸液用三方活栓や留置輸液用側枝管に関する。なお、本発明は人間だけでなく動物の治療に用いることができる。
【背景技術】
【０００２】
医療機関や自宅において、点滴注射等を行う場合、留置針を患者や動物の皮膚に刺し込み、留置針の先端を静脈血管内に位置した状態に保ち、留置針の後部に輸液チューブの一端をすばやく差し込み接続する。輸液チューブの他端は薬液バッグ等に接続されており、薬液バッグはスタンド等によって高所に位置している。薬液バッグの留置針先端との垂直方向落差によって、薬液バッグ中の薬液が輸液チューブや留置針を通して、患者や動物の静脈血管中に注入される。
【０００３】
そして、薬液バッグ中の薬液の注入が終わると、留置針の後部を閉鎖する。そして、所定の時刻になると、新しい薬液バッグに交換し、その輸液チューブの一端を留置針の後部にすばやく差し込み接続している。
【発明の開示】
【発明が解決しようとする課題】
【０００４】
しかしながら、薬液バッグ中の薬液や輸液チューブ中の薬液を注入し終えたり、残りがわずかになると、薬液の落差により生ずる圧力より患者等の血圧の方が大きくなってしまい、血液が輸液チューブ内へ逆流し侵入してしまう。この輸液チューブを他の患者等に接続して点滴等を行うと院内感染するおそれが生じる。また、輸液チューブ内へ血液が侵入している可能性があるので、使用済みの輸液チューブは医療廃棄物として処理しなければならず、廃棄処理費用がかさむという問題と、分別のため医療機関での処理や管理が煩雑であるという問題がある。さらに医療廃棄物の量が増えるので、医療廃棄物の埋立て地の早期不足を招くという問題がある。
【０００５】
そこで、本発明の目的は、輸液チューブ内へ血液が逆流侵入しない留置輸液器具を提供することである。
【課題を解決するための手段】
【０００６】
上記目的は、請求項１に記載の本発明に係る留置輸液キット、すなわち、雌コネクター付き留置針と、雄コネクター付き輸液チューブとからなる留置輸液キットであって、雌コネクター付き留置針は、外針ハブの前部に外針を取り付け、外針ハブの中央部に柔軟部を設け、外針ハブの後部が雌コネクターであり、外針ハブの中央部の内部に逆止弁を取り付けてあり、雄コネクター付き輸液チューブは、前部にノズルを取り付けた雄コネクターを輸液チューブの一端に取り付けてあり、通常においては、外針ハブの後部から前部への正方向の流動ができるが、逆方向の流動が阻止され、柔軟部分を外から押圧している時には逆止弁が開状態となり正方向も逆方向も流動できるようになり、雄コネクター付き輸液チューブの雄コネクターを雌コネクター付き留置針の雌コネクターに挿入し液密に嵌合させている時には雄コネクターのノズルが雌コネクター付き留置針の内部の逆止弁に挿入され逆止弁が開状態となり正方向も逆方向も流動できるようになる、留置輸液キットによって、達成される。
【０００７】
また、上記目的は、請求項２に記載の本発明に係る留置輸液キット、すなわち、雌コネクター付き留置針と、雄コネクター付き輸液チューブとからなる留置輸液キットであって、雌コネクター付き留置針は、外針ハブの前部に外針を取り付け、外針ハブの中央部に柔軟部を設け、外針ハブの後部が雌コネクターであり、外針ハブの中央部の内部に逆止弁を取り付けてあり、雄コネクター付き輸液チューブは、前部にノズルを取り付け、内部に逆止弁を取り付けた雄コネクターを輸液チューブの一端に取り付けてあり、通常においては、外針ハブの後部から前部への正方向の流動ができるが、逆方向の流動が阻止され、柔軟部分を外から押圧している時には逆止弁が開状態となり正方向も逆方向も流動できるようになり、雄コネクター付き輸液チューブの雄コネクターを雌コネクター付き留置針の雌コネクターに挿入し液密に嵌合させている時には雄コネクターのノズルが雌コネクター付き留置針の内部の逆止弁に挿入され逆止弁が開状態となり正方向も逆方向も流動できるようになる、留置輸液キットによっても、達成される。
【０００８】
本発明の好ましい実施態様においては、請求項３に記載のように、雌コネクター付き留置針と雄コネクター付き輸液チューブとの接合・分離が可能な接合具を備えている。
【０００９】
本発明の他の好ましい実施態様においては、請求項４に記載のように、逆止弁を開状態に保つことができる押圧具を備えている。
【００１０】
上記目的は、請求項５に記載の本発明に係る雄コネクター付き輸液チューブ、すなわち、留置針の外針ハブの中央部まで挿入可能なノズルを前部に取り付け、輸液チューブの一端を後部に取り付けた雄コネクターを有することを特徴とする雄コネクター付き輸液チューブによっても、達成される。
【００１１】
上記目的は、請求項６に記載の本発明に係る雄コネクター付き輸液チューブ、すなわち、留置針の外針ハブの中央部まで挿入可能なノズルを前部に取り付け、逆止弁を内部に取り付け、輸液チューブの一端を後部に取り付けた雄コネクターを有することを特徴とする雄コネクター付き輸液チューブによっても、達成される。
【００１２】
さらに、上記目的は、請求項７に記載の本発明に係る留置輸液用プラグ、すなわち、留置針の外針ハブの中央部まで挿入可能なノズルを前部に取り付け、輸液チューブの一端を接続可能な雌コネクターを後部に備えた留置輸液用プラグによっても、達成される。
【００１３】
さらに、上記目的は、請求項８に記載の本発明に係る留置輸液用プラグ、すなわち、留置針の外針ハブの中央部まで挿入可能なノズルを前部に取り付け、逆止弁を内部に取り付け、輸液チューブの一端を接続可能な雌コネクターを後部に備えた留置輸液用プラグによっても、達成される。
【００１４】
さらにまた、上記目的は、請求項９に記載の本発明に係る留置輸液用三方活栓、すなわち、留置針の外針ハブの中央部まで挿入可能なノズルを前部に取り付け、輸液チューブの一端を接続可能な雌コネクターを後部に備えた留置輸液用三方活栓によっても、達成される。
【００１５】
さらにまた、上記目的は、請求項１０に記載の本発明に係る留置輸液用側枝管、すなわち、留置針の外針ハブの中央部まで挿入可能なノズルを前部に取り付け、逆止弁を内部に取り付け、輸液チューブの一端を接続可能な雌コネクターを後部に備えた留置輸液用側枝管によっても、達成される。
【００１６】
また、上記目的は、請求項１１に記載の本発明に係る留置輸液キット、すなわち、雌コネクター付き留置針と、雄コネクター付き輸液チューブとからなる留置輸液キットであって、雌コネクター付き留置針は、外針ハブの前部に外針を取り付け、外針ハブの中央部に柔軟部を設け、外針ハブの後部が雌コネクターであり、外針ハブの中央部の内部に閉止弁を取り付けてあり、雄コネクター付き輸液チューブは、前部にノズルを取り付けた雄コネクターを輸液チューブの一端に取り付けてあり、注射針を貫通し切り裂く前は流動が阻止されるが、切り裂いた後について、通常においては、外針ハブの後部から前部への正方向の流動ができるが、逆方向の流動が阻止され、柔軟部分を外から押圧している時には閉止弁が開状態となり正方向も逆方向も流動できるようになり、雄コネクター付き輸液チューブの雄コネクターを雌コネクター付き留置針の雌コネクターに挿入し液密に嵌合させている時には雄コネクターのノズルが雌コネクター付き留置針の内部の閉止弁に挿入され閉止弁が開状態となり正方向も逆方向も流動できるようになる、
留置輸液キットによっても、達成される。
【００１７】
さらにまた、上記目的は、請求項１２に記載の本発明に係る留置輸液キット、すなわち、雌コネクター付き留置針と、雄コネクター付き輸液チューブとからなる留置輸液キットであって、雌コネクター付き留置針は、外針ハブの前部に外針を取り付け、外針ハブの中央部に柔軟部を設け、外針ハブの後部が雌コネクターであり、外針ハブの中央部の内部に閉止弁を取り付けてあり、雄コネクター付き輸液チューブは、前部にノズルを取り付け、内部に逆止弁を取り付けた雄コネクターを輸液チューブの一端に取り付けてあり、注射針を貫通し切り裂く前は流動が阻止されるが、切り裂いた後について、通常においては、外針ハブの後部から前部への正方向の流動ができるが、逆方向の流動が阻止され、柔軟部分を外から押圧している時には閉止弁が開状態となり正方向も逆方向も流動できるようになり、雄コネクター付き輸液チューブの雄コネクターを雌コネクター付き留置針の雌コネクターに挿入し液密に嵌合させている時には雄コネクターのノズルが雌コネクター付き留置針の内部の閉止弁に挿入され閉止弁が開状態となり正方向も逆方向も流動できるようになる、留置輸液キットによっても、達成される。
【００１８】
本発明の好ましい実施態様においては、請求項１３に記載のように、雌コネクター付き留置針と雄コネクター付き輸液チューブとの接合・分離が可能な接合具を備えている。
【００１９】
本発明の他の好ましい実施態様においては、請求項１４に記載のように、閉止弁を開状態に保つことができる押圧具を備えている。
【発明の効果】
【００２０】
本発明に係る雄コネクター付き輸液チューブは、留置針の外針ハブの中央部まで挿入可能なノズルを前部に取り付けているので、雄コネクターを留置針の後部に挿入して接合させると、外針ハブの内部に取り付けてある逆止弁の中へノズルが侵入し逆止弁の先端を通過し側方へ広げて逆止弁を開状態に変え、微量の薬液であっても輸液チューブの方から留置針の先端へ安定的に移動させることができる。一方、雄コネクター付き輸液チューブを引き抜くと、ノズルが逆止弁から抜け去るので、逆止弁の弾性によって先端の２つの平板部が密接して、自動的に閉状態となり、患者等の血液の逆流がなく、ベッド等を汚したり、事故による出血多量が起きにくくなる。
【００２１】
また、本発明に係る雄コネクター付き輸液チューブは、雄コネクターの中に逆止弁が取り付けてあるので、輸液チューブの中へ患者の血液やヴィルス等が混入することがない。そのため、院内感染が起きにくい。また、そのため、輸液チューブには患者の血液、体液等が付着していないので、一般廃棄物として処理、処分することができ、医療機関での処理が簡単であり、処理コストも安く抑えることができる。
【００２２】
留置輸液キット、留置輸液用プラグ、留置輸液用三方活栓、留置輸液用側枝管についても上記と同様の効果が得られる。
【００２３】
しかも、従来の留置輸液キットと操作方法がほぼ同じであるため、医師や看護士によって、操作方法の習熟が容易である。
【発明を実施するための最良の形態】
【００２４】
以下、本発明の実施形態について、添付図面を参照して、詳細に説明する。
【００２５】
第１実施形態
図１は、本発明に係る雄コネクター付き輸液チューブの第１実施形態を示す概略図であり、（ａ）はその正面断面図であり、（ｂ）はその平面断面図である。
【００２６】
雄コネクター１は、透明または半透明の硬質または半硬質の樹脂で作られている。前部はノズル１１であり、外径が比較的細く、長い円筒形である。中央部１２の内部には逆止弁２が取り付けてある。後部は接続部１３である。中央部１２の外側面には、不図示の雌コネクター付き留置針との接合・分離が可能な接合具（特に袋ナット）と係合するための係合突起１５が設けてある。
【００２７】
逆止弁２は、シリコーンゴム、天然ゴム、人造ゴム等の可撓弾性材料によって作られている。逆止弁２は、ほぼ円筒形の弁本体２２と、２つの平板がその長辺で接して先端をなす「からす口」状部２１とからなる。そして、逆止弁２の位置合わせ及び取り付けのためのカシメキャップ３が用いられている。
【００２８】
輸液チューブ４は、人造ゴム、天然ゴム、軟質樹脂など可撓性材料で作られている。輸液チューブ４の一端は、雄コネクター１の接続部１３に接続され固定されている。輸液チューブ４の他端は、不図示の薬液バッグに接続されている。
【００２９】
本第１実施形態においては、雄コネクター1の内部に逆止弁２が取り付けてあり、薬液バッグからノズル１１へ向かって液体が流れることができるが、逆方向に流体が流れることはない。
【００３０】
雄コネクター付き輸液チューブの他の実施形態においては、雄コネクターの内部に逆止弁が備わっていないが、前部にノズル１１が取り付けてある。
【００３１】
図２は雌コネクター付き留置針の概略図であり、（ａ）はその正面断面図であり、（ｂ）はその平面断面図である。
【００３２】
雌コネクター付き留置針は、外針ハブ５の前部５１に外針６を取り付けてなる。外針６は留置針とも一般的に呼ばれている。外針ハブ５は透明あるいは半透明の樹脂で作られている。外針ハブ５の中央部５２は軟質樹脂で作られており、薄肉部５６とボタン部５４，５５を有している。そして、中央部５２の内部には逆止弁７が取り付けてある。外針ハブ５の後部５３は雌コネクターとなっている。雄コネクター付き輸液チューブの雄コネクターを、この雌コネクターの中に挿入して接続し、引き抜き分離することができる。逆止弁７もシリコーンゴム、天然ゴム、人造ゴム等の可撓弾性材料によって作られている。逆止弁７は、ほぼ円筒形の弁本体７２と、２つの平板がその長辺で接して先端をなす「からす口」状部７１とからなる。そして、逆止弁７の位置合わせ及び取付けのためのカシメキャップ３が用いられている。そして、２つの平板の長辺が接する直線上にボタン部５４，５５が位置している。そして、ボタン部５４，５５を指で押すと、逆止弁７の「からす口」状部７１が圧縮されて２つの平板が、それぞれ、弓状に曲がり、中央部に開口が生じて、逆止弁７は開状態になる。指で押すのを止めると、「からす口」状部は元の位置、形に戻り、長辺が互いに接して閉状態に復帰する。
【００３３】
図３は本発明に係る第１実施形態の留置輸液キットの接合状態を示す説明図であり、（ａ）はその正面断面図であり、（ｂ）はその平面断面図である。雌コネクター付き留置針の後部５３である雌コネクターの中に、雄コネクター付き輸液チューブの雄コネクター1を挿入すると、雄コネクター1のノズル１１が雌コネクター付き留置針の外針ハブ５の内部に取り付けた逆止弁７の中へ挿入されて、逆止弁７の「からす口」状部７１の先端を通過して側方へ広げられ、逆止弁７を開状態に変える。
【００３４】
雌コネクター付き留置針に、雄コネクター付き輸液チューブを接合している時には、雌コネクター付き留置針の逆止弁７は開状態になり、微量の点滴液や薬液を薬液バッグから輸液チューブそして留置針を通して患者等の静脈に送り込むことができる。
【００３５】
一方、雄コネクター付き輸液をチューブを抜いたり、意図せずにはずれた場合には、雄コネクター付き輸液チューブの内部の逆止弁7は閉状態に戻るので、血液の逆流は自動的に止められる。
【００３６】
第２実施形態
図４は、本発明に係る留置輸液用プラグの第２実施形態を示す概略図であり、（ａ）はその正面断面図であり、（ｂ）はその平面断面図である。
【００３７】
留置輸液用プラグ１０は、透明または半透明の硬質または半硬質の樹脂で作られている。前部はノズル１０１であり、外径が比較的細く、長い円筒形である。ノズル１０１はやや外径が大きい雄コネクター部１０２に連続している。外形は円柱状であっても、あるいはノズル１０１の方へ向かって外径が直線的に減少する円錐状であってもよい。中央部１０３の内部には、逆止弁２０が取り付けてある。後部は雌コネクター部１０４であり、内径が比較的大きく、後端の方へ向かって内径が直線的に増加する円錐状である。後端には接合具、特に袋ナットと係合するための係合突起１０５が設けてある。
【００３８】
逆止弁２０は、シリコーンゴム、天然ゴム、人造ゴム等可撓弾性材料によって作られている。逆止弁２０はほぼ円筒形の弁本体２０２と、２つの平板がその長辺で接して先端をなす「からす口」状部２０１とからなる。そして、逆止弁２０の位置合わせ及び取り付けのためのカシメキャップ３０が用いられている。
【００３９】
本実施形態の留置輸液用プラグ１０は逆止弁付きの留置針と従来の輸液チューブの間に接続して用いる。逆止弁付き留置針の後部の雌コネクターに留置輸液用プラグ１０のノズル１０１及び雄コネクター部１０２を挿入すると、留置針の内部に取り付けた逆止弁の中へノズル１０１が挿入されて、「からす口」状部の先端を通過して側方へ広げられ、逆止弁を開状態に変える。すると、輸液チューブを通して薬液バッグから送り出された薬液が留置針の針部先端から患者等の静脈血管中へ微量ずつ注入される。
【００４０】
第３実施形態
図５は第３実施形態の雌コネクター付き留置針の概略図である。
【００４１】
雌コネクター付き留置針は、第１の外針ハブ８１と第２の外針ハブ８２と第１の外針ハブ８１の前部８１１に外針６を取り付けてなる。外針６は留置針とも一般的に呼ばれている。第１の外針ハブ８１は透明あるいは半透明の樹脂で作られている。第１の外針ハブ８１の内部の後部８１２には閉止弁４２を一定の位置、一定の方向に取り付けることができる。第２の外針ハブ８２は接続部８２１と雌コネクター部８２２とからなり、第２の外針ハブ８２の接続部８２１は、第１の外針ハブ８１の後部８１２に接合して閉止弁４２が移動しないように固定する。
【００４２】
図６は閉止弁４２の概略図であり、（ａ）はその正面図であり、（ｂ）はその左側面図である。
【００４３】
閉止弁４２は有底円筒形であり、底部４２１と側面部４２２とフランジ部４２３と位置決め突起部４２４を有している。底部４２１の内側中央には円形くぼみ４２５が形成されている。雌コネクター付き留置針に内針を挿入する際に、内針の針先が中央に来るように円形くぼみ４２５は案内する。底部４２１の内側には、中心から放射する中心角が１２０°ずつ離れた３本のスリット４２６ａ，４２６ｂ，４２６ｃが切り込まれており、底部４２１の外側には４２７ａ，４２７ｂ，４２７ｃが切り込まれているが、４２６ａと４２７ａとは貫通していないで、わずかな厚さの切り残し部分を残している。閉止弁４２はシリコーンゴムなど弾性可撓性材料でできている。
【００４４】
第４実施形態
図７は第４実施形態の雌コネクター付き留置針の概略図であり、（ａ）はその正面図であり、（ｂ）はその平面図である。
【００４５】
第４実施形態の雌コネクター付き留置針は、図５に示した第３実施形態の雌コネクター付き留置針とほぼ同じであるが、第１の外針ハブ８１の内部に組み付けた閉止弁４２の底部４２１の位置に対応した外側面は薄肉部８１３，８１４になっており、薄肉部８１３，８１４には押圧ボタン８１５，８１６が設けてある。外針ハブ８１は透明又は半透明の柔軟な樹脂で作られている。
【００４６】
図８は内針の概略図である。内針９はステンレス鋼製の注射針部９１と内針ハブ９２とからなる。内針ハブ９２は透明または半透明の硬質樹脂または硬質でできた中空円筒状であり、指でつまみやすいように曲面となっている。注射針部９１の先端９１ａは斜めに切断され尖っている。後端９１ｂを内針ハブ９２に液密に接続してある。
【００４７】
図９は第４実施形態の雌コネクター付き留置針に内針を挿入し組合せた状態を示す概略断面図である。内針９の注射針部９１を雌コネクター付き留置針の雌コネクター部８２２から挿入し、押し込んでいくと、注射針部９１の先端９１ａは閉止弁４２の底部４２１に当接し円形くぼみ４２５へと案内される。さらに押し込むと、注射針部９１の先端９１ａが円形くぼみ４２５の中心にささり貫通する。もっと押し込むことによって、閉止弁４２のスリットに沿って切れ込みが貫通し、穴が開く。最終的には内針ハブ９２の先端と留置針の第２の外針ハブの後端が当接するが、その時には外針６の先端から内針９の注射針部９１の先端９１ａが露出する。
【００４８】
このように組合せた状態で、患者の皮膚に刺し込み、外針６の先端を静脈血管内に位置する。その状態で内針９のみを引き抜く。
【００４９】
第５実施形態
図１０は本発明に係る雄コネクター付き輸液チューブの第５実施形態を示す概略図である。
【００５０】
雄コネクター１は透明または半透明の硬質または半硬質の樹脂で作られている。前部はノズル１１であり、外径が比較的細く、長い円筒形である。中央部１２の内部には逆止弁も閉止弁も取り付けていない。後部は接続部１３である。
【００５１】
輸液チューブ４は、人造ゴム、天然ゴム、軟質樹脂など可撓性材料で作られている。輸液チューブ４の一端は雄コネクター１の接続部１３に接続され固定されている。輸液チューブ４の他端は不図示の薬液バッグに接続されている。
【図面の簡単な説明】
【００５２】
【図１】本発明に係る雄コネクター付き輸液チューブの第１実施形態を示す概略図であり、（ａ）はその正面断面図であり、（ｂ）はその平面断面図である。
【図２】雌コネクター付き留置針の概略図であり、（ａ）はその正面断面図であり、（ｂ）はその平面断面図である。
【図３】本発明に係る第１実施形態の留置輸液キットの接合状態を示す説明図であり、（ａ）はその正面断面図であり、（ｂ）はその平面断面図である。
【図４】本発明に係る留置輸液用プラグの第２実施形態を示す概略図であり、（ａ）はその正面断面図であり、（ｂ）はその平面断面図である。
【図５】第３実施形態の雌コネクター付き留置針の概略図である。
【図６】閉止弁４２の概略図であり、（ａ）はその正面図であり、（ｂ）はその左側面図である。
【図７】第４実施形態の雌コネクター付き留置針の概略図であり、（ａ）はその正面図であり、（ｂ）はその平面図である。
【図８】内針の概略図である。
【図９】第４実施形態の雌コネクター付き留置針に内針を挿入し組合せた状態を示す概略断面図である。
【図１０】本発明に係る雄コネクター付き輸液チューブの第５実施形態を示す概略図である。
【符号の説明】
【００５３】
１  雄コネクター
１１  ノズル
１２  中央部
１３  接続部
１５  係合突起
１０  留置輸液用プラグ
１０１  ノズル
１０２  雄コネクター部
１０３  中央部
１０４  雌コネクター部
１０５  係合突起
２  逆止弁
２１  「からす口」状部
２２  弁本体
２０  逆止弁
２０１  「からす口」状部
２０２  弁本体
３  カシメキャップ
３０  カシメキャップ
４  輸液チューブ
４２  閉止弁
４２１  底部
４２２  側面部
４２３  フランジ部
４２４  位置決め突起部
４２５  円形くぼみ
４２６ａ  スリット
４２６ｂ  スリット
４２６ｃ  スリット
４２７ａ  スリット
４２７ｂ  スリット
４２７ｃ  スリット
５  外針ハブ
５１  前部
５２  中央部
５３  後部
５４  ボタン部
５５  ボタン部
５６  薄肉部
６  外針
７  逆止弁
７１  「からす口」状部
７２  弁本体
８１  第１の外針ハブ
８２  第２の外針ハブ
８１１  第１の外針ハブの前部
８１２  第１の外針ハブの内部の後部
８１３  薄肉部
８１４  薄肉部
８１５  押圧ボタン
８１６  押圧ボタン
８２１  接続部
８２２  雌コネクター部
９  内針
９１  注射針部
９１ａ  注射針部の先端
９１ｂ  後端
９２  内針ハブ
【図１】
2005027991.tif 000003
【図２】
2005027991.tif 000004
【図３】
2005027991.tif 000005
【図４】
2005027991.tif 000006
【図５】
2005027991.tif 000007
【図６】
2005027991.tif 000008
【図７】
2005027991.tif 000009
【図８】
2005027991.tif 000010
【図９】
2005027991.tif 000011
【図１０】
2005027991.tif 000012